(57)【要約】【目的】使用者を深睡眠へ誘導可能な寝具を実現する。【構成】敷蒲団として用いられる寝具１は、綿やポリウレタン成形体などからなる基材層２と、基材層２の片面全体に配置された黒鉛層３と、基材層２および黒鉛層３の全体を覆う布帛製の表層４とを備えている。黒鉛層３は、繊維状黒鉛を用いて形成された不織布からなるものである。黒鉛層３において用いられる繊維状黒鉛は、例えば炭素繊維を２，０００℃以上で加熱処理することにより得られる、炭素含有量が９９重量％以上の高純度のものである。【選択図】図２
2008048920.tif 000002
【特許請求の範囲】
【請求項１】
繊維状黒鉛を含む寝具。
【請求項２】
基材層と、
前記基材層の少なくとも一部の表面に配置された黒鉛層とを備え、
前記黒鉛層は、繊維状黒鉛を用いて形成されている、
寝具。
【請求項３】
前記黒鉛層を覆う表層をさらに備えている、請求項２に記載の寝具。
【請求項４】
前記基材層は、繊維群、粒子群、羽毛群および弾性成形体からなる群から選ばれた少なくとも一種からなる、請求項２または３に記載の寝具。
【請求項５】
蒲団である、請求項２から４のいずれかに記載の寝具。
【請求項６】
毛布である、請求項２から４のいずれかに記載の寝具。
【請求項７】
ベッド用敷マットである、請求項２から４のいずれかに記載の寝具。
【請求項８】
枕である、請求項２から４のいずれかに記載の寝具。
【請求項９】
繊維状黒鉛を含む黒鉛層と、
前記黒鉛層を封入する表層と、
を備えた寝具。
【発明の詳細な説明】
【技術分野】
【０００１】
本発明は、寝具、特に、機能性の寝具に関する。
【背景技術】
【０００２】
心身の健康促進や快眠促進を目的として、睡眠時の身体に何等かの作用を及ぼす機能性の寝具が種々提案されている。特に、特許文献１〜５は、炭素系材料を用いた寝具を提案している。
特許文献１は、木炭や活性炭のような炭化物が内部に充填された寝具に関するものであり、この寝具は、炭化物の吸着作用により有害ガスや陽イオンを吸着するため、睡眠環境の空気を清浄化することができ、それによって健康促進に寄与するものとされている。
【０００３】
特許文献２は、ポリエチレン樹脂と炭素とを含有する枕用詰材に関するものであり、この詰材は、炭素の熱伝導性を利用した頭寒足熱効果により快眠効果を高めることができるものとされている。
【０００４】
特許文献３は、寝具用材にグラファイト系遠赤外線放射繊維織布素材を設けた遠赤外線放射寝具に関するものであり、これは、グラファイト系遠赤外線放射繊維織布素材として発熱温度を任意に自己制御することができるグラファイト・酸化金属合成素材を用いている。この寝具は、人体の体温のみで遠赤外線を放射し、睡眠中の身体を温めることができるものと考えられる。
【０００５】
特許文献４は、アース用接続コードが設けられた活性炭繊維シートを内部に配設した寝具に関するものであり、この寝具は、活性炭繊維シートを接地することで活性炭繊維から発生するマイナスイオンが新陳代謝し、これによって汗や体臭を吸収するため、安眠を促進することができる。
【０００６】
特許文献５は、カーボン繊維を含む発熱部を有する振動発生手段を備えた寝具に関するものであり、この寝具は、振動発生手段による振動を使用者に与えてリラックスさせ、また、発熱部により使用者の身体を温めることができる。
【０００７】
【特許文献１】特開昭６２−１５２４０６号公報
【特許文献２】特開平１−２２７７１２号公報
【特許文献３】実開平６−６８５５５号公報
【特許文献４】特開平１１−１７８６８５号公報
【特許文献５】特開２００４−２８３６８５号公報
【０００８】
ところで、身体は、就寝前に比べて呼吸数が減少した深い睡眠（以下、「深睡眠」という）が得られた場合に疲労回復が早く、活性化し易いものと考えられている。したがって、寝具は、使用者をこのような深睡眠へ誘導できるものが理想的である。しかし、上述の各特許文献に記載の寝具は、使用者を深睡眠へ誘導可能なものではない。
【０００９】
本発明の目的は、使用者を深睡眠へ誘導可能な寝具を実現することにある。
【発明の開示】
【課題を解決するための手段】
【００１０】
本発明の寝具は、繊維状黒鉛を含むものである。
【００１１】
本発明の一形態に係る寝具は、基材層と、基材層の少なくとも一部の表面に配置された黒鉛層とを備え、黒鉛層は、繊維状黒鉛を用いて形成されている。この形態の寝具は、通常、黒鉛層を覆う表層をさらに備えている。この形態の寝具において、基材層は、通常、繊維群、粒子群、羽毛群および弾性成形体からなる群から選ばれた少なくとも一種からなる。本発明の他の形態に係る寝具は、繊維状黒鉛を含む黒鉛層と、当該黒鉛層を封入する表層とを備えている。本発明の寝具は、例えば、蒲団、毛布、ベッド用敷マット若しくは枕として用いられる。
【００１２】
本発明において用いられる繊維状黒鉛は、何等かの作用により、その使用者を安静化させるものと考えられる。このため、使用者は、睡眠時において無意識にリラックスすることができ、呼吸数が減少して深睡眠へ誘導され得る。
【発明の効果】
【００１３】
本発明の寝具は、繊維状黒鉛を含むものであるため、使用者を深睡眠へ誘導することができる。
【発明を実施するための最良の形態】
【００１４】
形態１
図１、２を参照して、本発明の寝具の一形態を説明する。図において、寝具１は、敷蒲団、掛蒲団、毛布若しくはベッド用敷マット等として用いられるシート状のものであり、基材層２、黒鉛層３および表層４を主に備えている。基材層２は、概ね一定の厚みを有するクッション層であり、寝具の種類に応じ、例えば、綿、毛、ポリエチレンテレフタレート綿、ポリエステル繊維、ポリアミド繊維およびポリアクリル繊維のような繊維群若しくはこれらの繊維からなる布帛、球状に成形された綿や発泡ポリスチレン粒子のような粒子群、羽毛群若しくはポリウレタン成形体や発泡ポリウレタン成形体のような弾性成形体を用いて形成されている。この基材層２は、二種以上の材料を用いて形成されていてもよい。例えば、繊維群と粒子群とを混在させたものや、弾性成形体層上に繊維群層を配置した二層構造のものであってもよい。
【００１５】
黒鉛層３は、基材層２の片面上に配置されたものであり、例えば、繊維状黒鉛を用いて形成された不織布や織布からなる。また、黒鉛層３は、通気性を有する布帛の片面全面に接着剤を塗布し、この接着剤に繊維状黒鉛を均一に吹付けて接着したものであってもよい。さらに、基材層２が布帛や弾性成形体の場合、黒鉛層３は、基材層２の片面全面に接着剤を直接塗布し、この接着剤に繊維状黒鉛を均一に吹付けて接着したものであってもよい。吹き付けのために用いられる繊維状黒鉛は、形態が特に限定されるものではないが、通常、平均直径が０．１〜５０μｍ、好ましくは１０〜２０μｍであり、平均長が１００〜７００μｍのものである。但し、ミルドやチョップのように切断されたものより、連続糸によるマット状のものが特に好ましい。なお、繊維状黒鉛の平均直径および平均長は、電子顕微鏡写真に基づいて測定したものである。
【００１６】
ここで用いられる繊維状黒鉛は、炭素含有量が９９重量％以上の高純度のものである。このような繊維状黒鉛は、レーヨン、綿、ポリアクリロニトリル若しくはピッチ等を原料とした炭素繊維を２，０００℃以上で加熱処理することにより得られ、通常、密度が１．６ｇ／ｃｍ３以上（上限は理論値の２．２６６ｇ／ｃｍ３）であり、また、Ｘ線回折法により測定されるＣ軸方向の結晶子の大きさが２５オングストロームを超える特性を示すものである。特に、ラマンスペクトルＲ値（Ｉ１５８０ｃｍ−１／Ｉ１３６５ｃｍ−１）が０．７以上のものが好ましい。
【００１７】
表層４は、基材層２および黒鉛層３の全体を覆うものであり、蒲団や毛布の表皮として通常用いられる各種の布帛、特に、通気性の布帛からなるものである。表層４の厚さは、通常、０．０１〜１ｍｍに設定するのが好ましく、０．１〜０．７ｍｍに設定するのが特に好ましい。この厚さが０．０１ｍｍ未満の場合は、黒鉛層３による異物感が身体に伝わりやすくなり、却って睡眠を妨げる可能性がある。逆に、１ｍｍを超えると、黒鉛層３からの後述する作用が身体へ伝わりにくくなり、使用者を深睡眠へ誘導しにくくなる可能性がある。
【００１８】
なお、上述の寝具１は、必要に応じ、キルティング加工などの加工が施されていてもよい。
【００１９】
次に、上述の寝具１の使用方法を説明する。
寝具１が敷蒲団若しくはベッド用敷マットのような敷物寝具の場合、黒鉛層３側が上側（すなわち、使用者の身体側）に位置するように寝具１を畳上やベッド上に配置する。そして、寝具１の表面をシーツで覆い、使用者は、当該シーツ上に臥して就寝する。一方、寝具１が掛蒲団や毛布のような掛物寝具の場合、寝具１の使用者は、敷蒲団やベッドの上に臥し、黒鉛層３側が下側（すなわち、使用者の身体側）に位置するように寝具１で身体を覆って就寝する。後者の場合、寝具１は、通気性を有する袋状のカバー内に収容して用いることもできる。
【００２０】
このようにして使用される寝具１は、黒鉛層３が使用者に対して何等かの作用を与え、使用者は、睡眠中において継続的にこの作用を無意識に身体で受けてリラックスし、呼吸数が減少して深睡眠へ誘導される。したがって、この寝具１を用いれば、通常の寝具やこれまでの機能性寝具を用いた場合に比べ、疲労回復効果が高まり、心身の活力が回復しやすくなる。
【００２１】
なお、上述の寝具１は、基材層２および黒鉛層３の全体を表層４で覆っているが、表層４は、基材層２の種類によっては黒鉛層３のみを覆っていてもよい。
【００２２】
形態２
図３、４を参照して、本発明の寝具の他の例を説明する。図において、寝具１０は、枕であり、基材層１１、黒鉛層１２および表層１３を主に備えている。基材層１１は、所定の枕形状に形成されたクッション層であり、例えば、そば殻や発泡ポリスチレン粒子のような粒子群、羽毛群若しくは発泡ポリウレタン成形体のような弾性成形体を用いて形成されている。この基材層１１は、二種以上の材料を用いて形成されていてもよい。例えば、そば殻と発泡ポリスチレン粒子とを混合したものが用いられてもよい。
【００２３】
黒鉛層１２は、基材層１１の側面を除く表面全体に配置されたものであり、例えば、繊維状黒鉛を用いて形成された不織布や織布からなる。また、黒鉛層１２は、通気性を有する布帛の片面全面に接着剤を塗布し、この接着剤に繊維状黒鉛を均一に吹付けて接着したものであってもよい。さらに、基材層１１が弾性成形体の場合、黒鉛層１２は、基材層１１の側面を除く表面全体に接着剤を塗布し、この接着剤に繊維状黒鉛を均一に吹付けて接着したものであってもよい。黒鉛層１２において用いられる吹き付けのための繊維状黒鉛は、形態１の寝具１において用いられるものと同様の平均直径および平均長のものである。また、この実施の形態において用いられる繊維状黒鉛は、形態１の場合と同じく、炭素含有量が９９重量％以上の高純度のものである。
【００２４】
表層１３は、基材層１１および黒鉛層１２の全体を覆うものであり、枕の表皮として通常用いられる各種の布帛、特に、通気性の布帛からなるものである。表層１３の厚さは、形態１の寝具１において用いられる表層４と同様に設定されるのが好ましい。
【００２５】
上述の寝具１０は、通常の枕と同様にして用いることができる。使用時において、寝具１０は、通気性を有する袋状のカバー内に収容されてもよい。このようにして用いられる寝具１０は、黒鉛層１２が使用者に対して何等かの作用を与え、使用者は、睡眠中において継続的にこの作用を無意識に頭部で受けてリラックスし、呼吸数が減少して深睡眠へ誘導される。したがって、この寝具１０を用いれば、通常の寝具やこれまでの機能性寝具を用いた場合に比べ、疲労回復効果が高まり、心身の活力が回復しやすくなる。
【００２６】
なお、寝具１０において、黒鉛層１２は、使用者の頭部を載せる部分にのみ配置することもできる。
【００２７】
形態３
図５、６を参照して、本発明の寝具のさらに他の形態を説明する。図において、寝具２０は、敷蒲団、掛蒲団若しくはベッド用敷マットとして用いられるシート状のものであり、黒鉛層２１と表層２２とを主に備えている。
【００２８】
黒鉛層２１は、繊維状黒鉛が集合した綿を含むものである。ここで用いられる繊維状黒鉛は、形態１の寝具１において用いられる繊維状黒鉛と同じく、炭素含有量が９９重量％以上の高純度のものである。この黒鉛層２１は、繊維状黒鉛の綿のみからなるものであってもよいし、繊維状黒鉛の綿とともに、通常の綿、ポリエチレンテレフタレート綿、ポリエステル繊維、ポリアミド繊維およびポリアクリル繊維のような繊維群、球状に成形された綿や発泡ポリスチレン粒子のような粒子群並びに羽毛のうちの一種若しくは二種以上が混在したものであってもよい。
【００２９】
表層２２は、黒鉛層２１を封入するための袋状のものであり、形態１の寝具１において用いられる表層４と同様の材料からなるものである。また、表層２２の厚さは、形態１の寝具１において用いられる表層４と同様に設定されているのが好ましい。
【００３０】
上述の寝具２０は、通常、表層２２内で黒鉛層２１が移動して偏るのを防止するために、キルティング加工２３が施されているのが好ましい。
【００３１】
次に、上述の寝具２０の使用方法を説明する。
寝具２０を敷蒲団若しくはベッド用敷マットのような敷物寝具として用いる場合、寝具２０を畳上やベッド上に配置する。そして、寝具２０の表面をシーツで覆い、使用者は、当該シーツ上に臥して就寝する。一方、寝具２０が掛蒲団のような掛物寝具の場合、寝具２０の使用者は、敷蒲団やベッド上に臥し、寝具２０で身体を覆って就寝する。後者の場合、寝具２０は、通気性を有する袋状のカバー内に収容して用いることもできる。
【００３２】
このようにして使用される寝具２０は、黒鉛層２１の繊維状黒鉛が使用者に対して何等かの作用を与え、使用者は、睡眠中において継続的にこの作用を無意識に身体で受けてリラックスし、呼吸数が減少して深睡眠へ誘導される。したがって、この寝具２０を用いれば、通常の寝具やこれまでの機能性寝具を用いた場合に比べ、疲労回復効果が高まり、心身の活力が回復しやすくなる。
【００３３】
なお、この形態の寝具２０は、俵状に形成すれば、枕として使用することもできる。
【実施例】
【００３４】
実施例
連続繊維状黒鉛からなる綿をポリエステル製の表装布（厚さ約０．１ｍｍ）で被覆して封入し、コンフォータキルト機を用いてダイヤキルトパターンに縫製した。これにより、１５０ｃｍ×２００ｃｍ×１．５ｃｍの大きさの掛蒲団を得た。ここで用いた繊維状黒鉛は、大阪ガスケミカル株式会社製の商品名“ドナカーボＳＧ２１０”であり、下記の特性を有するものである。
【００３５】
炭素含有率：９９．５％
密度：１．６２ｇ／ｃｍ３
Ｃ軸方向の結晶子の大きさ（ＬＣ（００２））：３０オングストローム
ラマンスペクトルＲ値（Ｉ１５８０ｃｍ−１／Ｉ１３６５ｃｍ−１）：０．７５
【００３６】
比較例
繊維状黒鉛からなる綿に代えて繊維状炭素からなる綿を用いて実施例と同様の掛蒲団を得た。ここで用いた繊維状炭素は、大阪ガスケミカル株式会社製の商品名“ドナカーボＳＬ２１０”であり、下記の特性を有するものである。
【００３７】
炭素含有率：９８．４％
密度：１．５８ｇ／ｃｍ３
Ｃ軸方向の結晶子の大きさ（ＬＣ（００２））：１７オングストローム
ラマンスペクトルＲ値（Ｉ１５８０ｃｍ−１／Ｉ１３６５ｃｍ−１）：０．６
【００３８】
評価Ａ
以下の評価において観測した被験者の呼吸数は、１分当りの呼吸回数を意味している。呼吸数の計測は、図７に示すように、被験者３０の背中と敷布団３１との間に力学センサー３２を挿入し、呼吸時に発生する微妙な圧力の変化を動圧として捉える方法を使った。すなわち、力学センサー３２が検出した圧力信号をアンプ３３で増幅した後にＡ／Ｄ変換器３４でデジタル化し、このデータをコンピュータ３５に入力して算出した。この方法によれば、被験者は、身体への電極の装着による拘束やストレスを受けずに自然な状態で睡眠をとることができる。
【００３９】
＜評価１＞
被験者Ａ（２１歳、女性）について、日常使用している敷蒲団（ポリエステル１００％のもの）および掛蒲団（ダウンが７０〜９０％で残余がフェザーのもの）を用いて就寝中（試験例１）の呼吸数の変化を観測した。結果を図８に示す。また、同じ被験者について、掛蒲団を実施例で製造したものに替えて就寝した場合（試験例２）の呼吸数の変化を観測した。結果を図９に示す。
【００４０】
＜評価２＞
被験者Ｂ（２１歳、女性）について、日常使用している敷蒲団（ポリエスエル１００％のもの）および掛蒲団（ダウンが７０〜９０％で残余がフェザーのもの）を用いて就寝中（試験例１）の呼吸数の変化を観測した。結果を図１０に示す。また、同じ被験者について、掛蒲団を実施例で製造したものに替えて就寝した場合（試験例２）の呼吸数の変化を観測した。結果を図１１に示す。
【００４１】
＜評価結果＞
評価１，２について、睡眠中の被験者の平均呼吸数および呼吸数変化の傾向を整理した結果を表１に示す。呼吸数変化の傾向の欄において示した矢印の意味は次の通りである。
・水平の矢印：睡眠時間が経過しても、呼吸数は概ね一定である。
・右上がりの矢印：睡眠時間が経過するに従い、呼吸数が増加傾向になる。
・右下がりの矢印：睡眠時間が経過するに従い、呼吸数が減少傾向になる。
【００４２】
【表１】
2008048920.tif 000003
【００４３】
表１によると、被験者Ａ，Ｂは、日常用いている寝具で就寝時は睡眠時間が経過しても呼吸数に実質的な変化が生じていないのに対し、実施例の掛蒲団を用いた場合は睡眠時間の経過に伴い呼吸数が減少している。この結果より、被験者は、実施例の寝具の使用により、深睡眠状態へ誘導されたことがわかる。
【００４４】
評価Ｂ
表２に示す６人の被験者について、表３に示す３通りの寝具を用いてそれぞれ２夜就寝した場合の呼吸数の変化を調べた。呼吸数は、評価Ａと同様にして計測し、変化の傾向を整理した。結果を表４に示す。また、表４に示した呼吸数変化の傾向を整理した結果を表５に示す。表４および表５に示した矢印の意味は表１における矢印と同じである。表５によると、実施例の寝具を用いた場合は、睡眠中に呼吸数が減少し、深睡眠に誘導される確率が高いことがわかる。
【００４５】
【表２】
2008048920.tif 000004
【００４６】
【表３】
2008048920.tif 000005
【００４７】
【表４】
2008048920.tif 000006
【００４８】
【表５】
2008048920.tif 000007
【図面の簡単な説明】
【００４９】
【図１】本発明の寝具の一例の斜視図。
【図２】図１のＩＩ−ＩＩ断面図。
【図３】本発明の寝具の他の例の斜視図。
【図４】図３のＩＶ−ＩＶ断面図。
【図５】本発明の寝具のさらに他の例の斜視図。
【図６】前記さらに他の例の断面図。
【図７】実施例における呼吸数の測定方法を説明した図。
【図８】評価１の試験例１の結果を示すグラフ。
【図９】評価１の試験例２の結果を示すグラフ。
【図１０】評価２の試験例１の結果を示すグラフ。
【図１１】評価２の試験例２の結果を示すグラフ。
【符号の説明】
【００５０】
１，１０，２０  寝具
２，１１  基材層
３，１２，２１  黒鉛層
４，１３，２２  表層
【図１】
2008048920.tif 000008
【図２】
2008048920.tif 000009
【図３】
2008048920.tif 000010
【図４】
2008048920.tif 000011
【図５】
2008048920.tif 000012
【図６】
2008048920.tif 000013
【図７】
2008048920.tif 000014
【図８】
2008048920.tif 000015
【図９】
2008048920.tif 000016
【図１０】
2008048920.tif 000017
【図１１】
2008048920.tif 000018